(57)【要約】  本発明は、レトラクター（鈎）を用いて下顎骨とその周囲の組織との間に必要最小限の間隔を設ければ足り、下顎枝内側の溝を形成するべき箇所近傍の組織や血管、神経等を損傷する恐れが無く、熟練或いは特別な工夫を行うこと無く下顎枝内側を骨切りして溝を正確に形成することが出来る様な顎矯正手術用レシプロケーティングファイルの提供することを目的としている。  本発明は、横断面が円形で且つ往復動可能に構成された軸部（３）を有し、該軸部（３）の外周部（３１）には複数の歯（４）が一体的に形成されており、該複数の歯（４）は、軸部（３）の長手方向については間隔を空けて（等ピッチに）断続的に形成されており、軸部（３）の円周方向については全域に亘って形成されており、該複数の歯（４）の半径方向外方の先端部は湾曲面（４ｒ）或いは平面（４ｈ）で構成されており、軸部（３）の長手方向先端部は（例えば、部分球状の）湾曲面（５）で構成されている。【選択図】図２【特許請求の範囲】
【請求項１】
横断面が円形で且つ往復動可能に構成された軸部を有し、該軸部の外周部には複数の歯が一体的に形成されており、該複数の歯は、軸部の長手方向については間隔を空けて断続的に形成されており、軸部の円周方向については全域に亘って形成されており、該複数の歯の半径方向外方の先端部は湾曲面或いは軸部の長手方向に平行な平面で構成されており、軸部の長手方向先端部は湾曲面で構成されていることを特徴とする顎矯正手術用レシプロケーティングファイル。
【請求項２】
複数の歯の軸外周部に対する勾配が、９０°以上である請求項１の顎矯正手術用レシプロケーティングファイル。
【請求項３】
軸部は、長手方向について軽度のテーパーが形成されている請求項１、２の何れかの顎矯正手術用レシプロケーティングファイル。
【請求項４】
電動装置により軸部長手方向へ往復動する様に構成されている請求項１〜３の何れか１項の顎矯正手術用レシプロケーティングファイル。
【発明の詳細な説明】
【技術分野】
【０００１】
本発明は、下顎枝矢状分割術に際して下顎枝内側に骨ノミを押し当てるための溝を形成する顎矯正手術用レシプロケーティングファイルに関する。
【背景技術】
【０００２】
顎矯正手術、特に下顎枝矢状分割術では、下顎枝内側を骨切りして溝を形成し、該溝に骨ノミと呼ばれる器具を押し当てて、下顎枝を分割している。
係る施術において、下顎枝内側及び下顎枝外側に溝を形成するのに際して、従来は、図３０に示すように例えばリンデマン（Ｌｉｎｄｅｒｍａｎｎ）バー５０を下顎枝１１内側及び下顎枝１１外側の溝を形成するべき箇所に押し当てて回転している。【０００３】
或いは、図３１に示すように、電動で往復動する骨用のノコギリ７０を使用して、下顎枝１１内側及び下顎枝１１外側を骨切りして溝を形成している。【０００４】
しかし、リンデマンバー５０は、レトラクター（鈎）６０を下顎枝１１の奥側１１ｅに引っ掛けて、下顎骨１０とその周囲の図示しない組織との間に一定の間隔を設ける必要があった。
下顎骨１０とその周囲の組織との間に一定の間隔を設けないと、リンデマンバー５０を回転する際に周囲の組織を巻き込んでしまい、当該組織や血管、神経等を損傷する恐れが存在するからである。【０００５】
一方、電動で往復動する骨用ノコギリ７０を使用した場合には、当該骨用ノコギリ７０はいわゆる「甲高」（歯幅が大）な形状をしているため、リンデマンバー５０を用いた場合よりも更に広い隙間を設けてやらなければならない。また、往復動（矢印Ｙの運動）する際に、軸方向の側方へ搖動（矢印Ｒの動き）して、いわゆる「ブレ」が発生するため、これを回避する様に下顎枝１１内側を骨切りして溝を正確に形成するには、熟練或いは工夫が必要である。【０００６】
そのため、レトラクター（鈎）６０を用いて下顎骨１０とその周囲の組織との間に必要最小限の間隔を設ければ足り、下顎枝１１内側の溝を形成するべき箇所近傍の組織や血管、神経等を損傷する恐れが無く、熟練或いは特別な工夫を行うこと無く下顎枝内側を骨切りして溝を正確に形成することが出来る技術が切望されていたが、現状では、その様な技術は提案されていない。【０００７】
その他の従来技術として、例えば、閉頭時の骨弁の落ち込みを従前より抑制出来る開頭機が提案されている（特許文献１）。しかし、係る従来技術は下顎枝矢状分割術における使用を前提とはしておらず、そのため、上述した様な要請に応えるものではない。
【特許文献１】特開２００２−２３８９１１号公報
【発明の開示】
【発明が解決しようとする課題】
【０００８】
本発明は上述した従来技術の問題点に鑑みて提案されたものであり、レトラクター（鈎）を用いて下顎骨とその周囲の組織との間に必要最小限の間隔を設ければ足り、下顎枝内側の溝を形成するべき箇所近傍の組織や血管、神経等を損傷する恐れが無く、熟練或いは特別な工夫を行うこと無く下顎枝内側を骨切りして溝を正確に形成することが出来る様な顎矯正手術用レシプロケーティングファイルの提供を目的としている。
【課題を解決するための手段】
【０００９】
本発明の顎矯正手術用レシプロケーティングファイル（１）は、横断面が円形で且つ往復動可能に構成された軸部（３）を有し、該軸部（３）の外周部（３１）には複数の歯（４）が一体的に形成されており、該複数の歯（４）は、軸部（３）の長手方向については間隔を空けて（等ピッチに）断続的に形成されており、軸部（３）の円周方向については全域に亘って形成されており、該複数の歯（４）の半径方向外方の先端部は湾曲面（４ｒ）或いは平面（４ｈ）で構成されており、軸部（３）の長手方向先端部は（例えば、部分球状の）湾曲面（５）で構成されていることを特徴としている（請求項１）。【００１０】
ここで、複数の歯（４）の軸外周部（３１）に対する勾配（α、β）が、９０°以上であることが好ましい（請求項２）。【００１１】
また、軸部（３）は、長手方向について軽度のテーパーが形成されているのが好ましい（請求項３）。【００１２】
さらに、電動装置により軸部長手方向へ往復動する様に構成されているのが好ましい（請求項４）。
【発明の効果】
【００１３】
上述する構成を具備する本発明のレシプロケーティングファイル（１）によれば、当該レシプロケーティングファイル（１）を下顎枝（１１）内側の溝（Ｄａ）及び下顎枝（１１）の外側の溝（Ｄｂ）を形成するべき箇所に押し当てて、電動或いは手動により、軸部長手方向へ往復動すれば、軸部（３）の外周に形成された複数の歯（４）により下顎骨（１０）が削られて、下顎枝（１１）内側及び下顎枝（１１）外側に溝（Ｄａ、Ｄｂ）を形成することが出来る。【００１４】
ここで、複数の歯（４）が、軸部（３）の長手方向については間隔を空けて断続的に形成されており、軸部（３）の円周方向については全域に亘って形成されているため、従来の骨用ノコギリ（図３１の符号７０）のようないわゆる「甲高」な形状にはならない。従って、下顎骨（１０）とその周囲の組織との間の間隔が狭くても、下顎枝（１１）内側及び下顎枝（１１）外側の溝（Ｄａ、Ｄｂ）を形成することが出来る。【００１５】
また、軸部（３）長手方向へ往復動することにより下顎枝（１１）内側及び下顎枝（１１）外側を骨切りして溝（Ｄａ、Ｄｂ）を形成することが出来、回転する必要が無いので、リンデマンバー（図３０の符号５０）を回転する際とは異なり、周囲の組織を巻き込んで当該組織や血管、神経等を損傷する恐れは無い。【００１６】
さらに本発明によれば、従来より小さいレトラクター（６０）で手術が可能となるので、術創を小さくすることが出来、低侵襲の手術が可能となる。それと共に、レトラクターにより広げる幅が従来よりも狭くても良いので、患者に与えるダメージが最低限となり、低侵襲である。【００１７】
そして、複数の歯（４）の半径方向外方の先端部が湾曲面（４ｒ）或いは平面（４ｈ）で構成されているので、下顎枝（１１）内側及び下顎枝（１１）外側を骨切りして溝を形成している最中に、歯（４）の半径方向外方の先端部（４ｒ、４ｈ）が下顎枝（１１）表面に引っ掛かってしまうことが防止できる。それに関連して、下顎枝（１１）の強度が比較的弱い患者においては、器具の歯が引っ掛かり下顎枝（１１）を破損してしまうことが防止できる。【００１８】
それに加えて、軸部（３）の長手方向先端部は湾曲面（５）で構成されているので、軸部（３）の長手方向へ往復動する際に、軸部先端を患者の口腔中の組織へ突き刺してしまうことが防止できる。
【発明を実施するための最良の形態】
【００１９】
以下、添付図面を参照して、本発明の実施形態について説明する。
先ず、本発明の顎矯正手術用レシプロケーティングファイルを説明する前に、下顎枝矢状分割術を図２２〜図２９に基づいて説明する。【００２０】
図２２〜図２９の下顎枝矢状分割術は、下顎骨が上顎骨に対して後退している状態（いわゆる「下顎後退症」）や、下顎骨が上顎骨に対して前進している状態（いわゆる「下顎前突症」）の様に、下顎骨と上顎骨との相対位置関係に異常が存在する場合に、下顎枝状分割方法によって下顎骨を前方（いわゆる「下顎後退症」の場合）或いは後方（いわゆる「下顎前突症」の場合）に移動して矯正する場合の、特に、骨切から骨分割までの施術を示したものである。
図２２〜図２４までが骨切り工程、図２５〜図２８までが骨分離工程を、更に図２９は、分離後の分離した分割骨の結合状態を示す。【００２１】
図２２は、いわゆる「下顎後退症」の場合における下顎骨の分割前の状態を示している。図２２における線Ｌａ、Ｌｂ、Ｌｃは骨切り及び分割ラインであり、これらのラインに沿って溝Ｄａ、Ｄｂ、Ｄｃが切られる。そしてこれらの溝の内、破線部（Ｌａ及びＬｃの一部）が紙面前方から見えない部分を示している。【００２２】
骨切りは、図２３に示すように、下顎枝前縁１１ｅで内面（紙面の裏側）の骨皮質を図示しない洋梨状の骨バーで皿状に削除する（この状態は、図示していない）。
そして、図示しない下顎小舌の直上を下顎孔１２の僅か後方まで図示しないリンデマンバー５０で骨切りを行う。尚、骨切りは下顎枝１１の内面側の所定の深さまでであって、下顎枝１１の外面側までは貫通していない。骨切りの終わった切削痕（溝）を破線Ｄａで示す。【００２３】
図２３及び図２４（図２３のＸ-Ｘ断面図）において、次に行う下顎骨体外側皮質の骨切りによって形成される骨切り線（以降、骨切り線を溝と言う）Ｄｂは、下顎第一大臼歯１３或いは第二大臼歯１４の位置で、咬合平面Ｆに垂直になるように外斜線１５から下顎下縁１６までをリンデマンバー５０あるいはフィッシャーバーで骨切り（溝の切削）を行う。その際、下顎骨１０を安定して支えるためレトラクター６０が使用される。【００２４】
最後の骨切りとして、前記内外の溝Ｄａ、Ｄｂを結ぶように下顎枝前縁１１ｅで外斜線１５の内側に沿ってフィッシャーバーで骨皮質の骨切りを行う（溝Ｄａ、Ｄｂを結ぶ溝Ｄｃを作る）。【００２５】
矢状分割は、図２５、図２６において、骨ノミ８を外斜線１５に沿った溝Ｄｃに５〜６ｍｍ程打ち込んで、骨皮質の骨切りが確実に行われていることを確認する。
次に、下顎体部（下顎骨）１０の垂直溝Ｄｂの所で、下顎骨外側骨皮質内面に沿わせて下顎下縁１６まで骨ノミ８を喰い込ませ、下顎下縁１６のやや内側の位置に刃先をおき、図示しないハンマーで槌打ちすると下顎下縁１６の骨皮質にひびが入る。【００２６】
このあとに、図２７に示すようにウェッジ骨ノミ８１を臼後部１７の位置で、溝Ｄｃに打ち込み、ウェッジ骨ノミ８１を回転させ外側骨皮質を開くようにすると内外骨片が下顎下縁１６に沿って割れ、図２８に示すように下顎歯列を含む第１の分割片１００と下顎枝１１側の第２の分割片２００とに分割される。【００２７】
下顎枝矢状分割によって分割された第１の分割片１００及び第２の分割片２００は、図２９に示すように、上顎骨３００と第２の分割片２００との相対位置を分割する以前の相対位置と同じくして、第１の分割片１００を、第２の分割片２００に対して、上顎歯列と下顎歯列が適正に咬合されるような位置にずらし、そのずらした位置で骨接合が行われる。
図２２は、いわゆる「下顎後退症」の場合における下顎骨の分割前の状態を示しているが、いわゆる「下顎前突症」の場合であっても、同様な処理を行って、上顎歯と下顎歯が適正に咬合されるような位置にずらされ、その位置で骨接合が行われる。【００２８】
次に、図１〜図１９を参照して、本発明の顎矯正手術用レシプロケーティングファイルの実施形態を説明する。
先ず、図１〜図５を参照して、軸を押した時には滑って切れないが、引いた時に切れるタイプの第１実施形態を説明する。【００２９】
図１は、第１実施形態の第１実施例におけるレシプロケーティングファイルの全体図を示し、図２は、図１の切削歯の形成された部分を示す図で、図３は切削歯を詳細に示した部分側面図（図２のＴ部詳細図）である。【００３０】
図１に示すように、第１実施形態の第１実施例のレシプロケーティングファイル１は、歯の形成されていない軸部２と、歯の形成された軸部３から構成されている。
歯の形成された軸部３は、図２に詳細を示すように、横断面（図示していない）が円形で且つ往復動可能に構成され、その軸部３の外周部３１には複数の歯４が連続して一体的に形成されている。【００３１】
該複数の歯４は、図３に詳細を示すように、軸中心線を含む断面のプロフィルが不等辺三角形となる様に形成されている。
図中、矢印Ｙは、先端方向を示す。【００３２】
第１実施形態では、不等辺三角形の先端側の斜面の軸外周部３１に対する勾配の角度をβ、不等辺三角形の先端側とは反対側の軸外周部３１に対する勾配の角度をαとすると、αの方がβよりも小である。
尚、図３（第１実施例）では、α、β共に９０°よりも大である。
特に、角度α側の歯の先端で下顎骨を切るために、７０°＜α＜１１０°となるようにαの角度を選択することが好ましい。【００３３】
また、歯４は、軸部３の長手方向については軸部３が見える部分（外周部）３１を介在させて間隔を空けて断続的に形成されている。そして、歯４は、図示では明確ではないが、軸部３の円周方向については、切欠の無い完全な環状の歯として、全域に亘って形成されている。
前述したように、歯４の半径方向外方の先端部は、軸部３の長手方向に平行な平面部４ｈが形成されている。【００３４】
図４は、第１実施形態の第１変形例（レシプロケーティングファイルとしての符号は１Ａ）である。図１〜図３の第１実施形態の第１実施例が、歯の先端部（頂部）に平面部４ｈが形成されている実施例であった。
それに対して、図４の第１実施形態の第１変形例では、歯の先端部（頂部）を丸めた形状（先端断面が湾曲面４ｒを有している）として、切削時の衝撃を緩和して、歯の耐久性を向上させている。【００３５】
図５は、第１実施形態の第２変形例（レシプロケーティングファイルとしての符号は１Ｂ）である。
図４の第１変形例では、先端側とは反対側の勾配の角度αは、第１実施例と同様に９０°以上であるが、図５の第１実施形態の第２変形例では、αを９０度よりも小さな値とした実施例である。又、軸外周部側にはアール処理４ｒが施されている。それ以外は第１変形例と略同様である。【００３６】
第２変形例のレシプロケーティングファイル１Ｂは、切削性が高い。そこで、骨質の丈夫な（骨が固い）患者に対しては、第２変形例のレシプロケーティングファイル１Ｂを用いることで、骨切り時間を短縮することが出来る。【００３７】
次に、図６〜図９を参照して第２実施形態を説明する。第２実施形態は、軸を引いた時には滑って切れないが、押した時に切れるタイプである。【００３８】
先ず、図６、図７（図６のＴ部詳細図）を参照して第２実施形態の第１実施例を説明する。
図６、図７の第２実施形態の第１実施例のレシプロケーティングファイル１Ｃは、図１〜図３の第１実施形態の第１実施例に対して、先端側の勾配の角度αと、それとは反対側の勾配の角度βとの大小関係が逆、即ち「α＞β」の関係の実施形態である。【００３９】
α、βの関係を「α＞β」とすることで、レシプロケーティングファイル１Ｃを押す際に骨が切削される。【００４０】
図８の第２実施形態の第１変形例は、先端側の勾配角度βが直角（β＝９０°）で、歯先をアール処理（４ｒ）した変形例である。又、図９の第２実施形態の第２変形例は、先端側の勾配角度βが直角（β＝９０°）で、歯４の先端部に軸部３の長手方向に平行な平面部４ｈが形成された変形例である。【００４１】
図６、図７の第２実施形態の第１実施例、図８に示す第２実施形態の第１の変形例、及び図９に示す第２の変形例では、何れの場合においても、先端側の勾配βとは反対側の勾配、即ち手元側の勾配αが緩やかである。
そのため、切削（骨切り）の際の冷却用の注水が手元側（施術側）に跳ね返ってこない、或いは、跳ね返り量が少なくなり、施術者（医師）や看護婦等への感染の恐れが低い。なお、図６、図８、図９における矢印Ｙは、先端側を示す。【００４２】
次に、図１０〜図１５を参照して、第３実施形態について説明する。第３実施形態は、押し、引きの双方の動きで骨を切るタイプである。
先ず、図１０に基づいて第３実施形態の第１実施例を説明する。図１０に示す第３実施形態の第１実施例は、軸中心線を含む断面における歯４のプロフィルが一つの円弧４ａであり、この円弧４ａの歯４が軸方向に連続して形成された実施例である。【００４３】
図１１に示す第３実施形態の第２実施例は、軸中心線を含む断面における歯４のプロフィルが矩形４ｂであり、その矩形断面４ｂの歯４が軸方向に連続して形成された実施例である。【００４４】
図１２に示す第３実施形態の第３実施例は、軸中心線を含む断面における歯４のプロフィルが長手方向に対称形の台形４ｃであり、その台形断面４ｃの歯４が軸方向に連続して形成された実施例である。【００４５】
ここで、歯型のプロフィルが長手方向に対称形の台形断面の場合、図１３に示すように、台形の斜面の勾配角度γが大き過ぎると、切削の際、歯が滑ってしまい、骨を切れなくなる。そこで、勾配角度γは１２０°以下とすることが好ましい。又、各歯間の軸部の外周部３１が長いと全長における歯の数が少なくなり、切削効率を損なうので各歯間の軸部の外周部３１は必要最小限の長さとすることが好ましい。【００４６】
更に、第３実施形態の第２実施例（図１１）の変形例として、図１４に示すように、逆台形の歯形４ｄとすることも可能であるが、勾配角度γが小さすぎると、切削性は向上するが、歯が骨に引っかかってしまう場合がある。
歯が骨に引っかかってしまうとレシプロケーティングファイルを往復動させる機械に多大な負荷がかかり、当該機械が破損する恐れがある。また、骨が脆い患者の場合には、歯が骨に引っかかった状態でレシプロケーティングファイルを往復動させると、患者の生体に与えるダメージが大きくなり過ぎてしまう。
そのような事態を防ぐために、勾配角度λは７０°以上とすることが好ましい。【００４７】
そして、逆台形の歯４ｄとする場合は、図１５に示すように、歯の先端のコーナーにはアール処理４０ｒ、或いはチャンファ４０ｃを形成すれば、歯が骨に引っかかるようなことも防止出来る。【００４８】
次に、図１６を参照して、第４実施形態を説明する。
図１６の第４実施形態は、軸部を僅かな勾配を有するテーパー形状とした実施形態である。図示の例では、先端側の軸直径３Ｄａが後方の軸直径３Ｄｂよりも細く形成されている。軸中心線を含む断面における歯型は共通であるので、先端側の歯の直径４Ｄａも後方の歯の直径４Ｄｂよりも細い。
この様にテーパー形状とすることにより、（施術者から見て）レシプロケーティングファイル先端側の見通しが良くなるというメリットがある。【００４９】
図示はされていないが、第１実施形態〜第４実施形態までの歯４の横断面の形状は、切欠の無い円形である。しかし、図１７に示すように歯の最大径部に小さな凹凸４ｇを連続して形成しても良い。
或いは、図１８に示すように歯の最大径部に等ピッチでノッチ（切欠き）４ｎを複数箇所に設けても良い。
図１７及び図１８の例では、骨を切削する場合の放熱性が向上する。【００５０】
本発明の各実施形態では、歯４は、軸部３の周り（外周部３１）に全周に亙って円環状に形成されている。
そして、本発明の各実施形態のレシプロケーティングファイル１は、図１９に示すように、動力機械Ｍに取り付けられ、軸方向の直線運動（矢印Ｙ）によって下顎枝１１を切削する（切る）。
即ち、下顎枝１１の左側１１Ｌを切削する場合は、歯４の「Ａ」の領域が骨の切削に関与する。次に、下顎枝１１の右側１１Ｒを切削する場合は、歯４の未だ使用されていない「Ｂ」の領域が切削に関与する。
従って、レシプロケーティングファイル１を動力機械Ｍから取外して回転させることなく、１本のレシプロケーティングファイル１で、下顎枝１１の左右の双方の切削に使用出来る。【００５１】
図２０、図２１は、夫々、本発明の実施形態のレシプロケーティングファイル１を用いて、骨切り（溝を切削；図２０）して、下顎枝１１の片側を分割（図２１）した状態を示した図である。
図２０、図２１の例では、分割後の分割片１００、２００の相対移動量が前述した例（図２２〜図２９）に比べて少ない場合であるので、外側骨皮質の垂直溝Ｄｂが第１大臼歯よりも奥側に位置している。【００５２】
上述した構成の本実施形態のレシプロケーティングファイル１によれば、複数の歯４が、軸部３の長手方向については間隔を空けて断続的に形成されており、軸部３の円周方向については全域に亘って形成されているため、従来の骨用ノコギリ（図３１の符号７０）のようないわゆる「甲高」な形状にはならない。
従って、下顎骨１０とその周囲の組織との間の間隔が狭くても、下顎枝１１内側の溝Ｄａ及び下顎枝１１の外側の溝Ｄｂを容易に形成することが出来る。【００５３】
また、軸部３を回転させることなく長手方向へ往復動することにより下顎枝１１の内側及び外側を骨切りして溝Ｄａ、Ｄｂを形成することが出来るので、リンデマンバー（図３０の符号５０）を回転する際とは異なり、周囲の組織を巻き込んで当該組織や血管、神経等を損傷する恐れは無い。【００５４】
さらに、従来より小さなレトラクターで手術が可能となるので、術創を小さくすることが出来、低侵襲の手術が可能となる。【００５５】
そして、レシプロケーティングファイル１の複数の歯４の半径方向外方の先端部が湾曲面４ｒ、或いは平面４ｈで構成されているので、下顎枝１１内側及び外側を骨切りして溝を形成している最中に、歯４の半径方向外方の先端部４ｒ、４ｈが下顎枝１１表面に引っ掛かってしまうことが防止できる。【００５６】
それに関連して、下顎枝１１の強度が比較的弱い患者においては、器具の歯が引っ掛かり、下顎枝１１を損傷させてしまうことが防止できる。【００５７】
加えて、軸部３の長手方向先端部は湾曲面５で構成されているので、軸部３を長手方向へ往復動する際に、軸部先端を患者の口腔中の組織へ突き刺してしまうことが防止出来る。【００５８】
図示の実施形態はあくまでも例示であり、本発明の技術的範囲を限定する趣旨の記述ではないことを付記する。
【図面の簡単な説明】
【００５９】
【図１】本発明の第１実施形態に係るレシプロケーティングファイルの全体を示した側面図。
【図２】本発明の第１実施形態に係るレシプロケーティングファイルの歯の形成された軸部の側面図。
【図３】図２のＴ部詳細図。
【図４】第１実施形態の第１変形例の歯形を示す部分断面図。
【図５】第１実施形態の第２変形例の歯形を示す部分断面図。
【図６】本発明の第２実施形態に係るレシプロケーティングファイルの歯の形成された軸部の側面図。
【図７】図６のＴ部詳細図。
【図８】第２実施形態、第１変形例の歯形を示す部分断面図。
【図９】第２実施形態、第２変形例の歯形を示す部分断面図。
【図１０】第３実施形態、第１実施例の歯形を示す部分断面図。
【図１１】第３実施形態、第２実施例の歯形を示す部分断面図。
【図１２】第３実施形態、第３実施例の歯形を示す部分断面図。
【図１３】第３実施形態、第３実施例を補足説明するための図。
【図１４】第３実施形態の第２実施例（図１１）の変形例の歯形を示す部分断面図。
【図１５】図１４を補足説明するための図。
【図１６】第４実施形態の歯の形成された軸部の側面図。
【図１７】本発明の実施形態に係る歯の外周部形状の第１変形例を示した正面図。
【図１８】本発明の実施形態に係る歯の外周部形状の第２変形例を示した正面図。
【図１９】本発明の実施形態のレシプロケーティングファイルを用いての施術の状態を示した図。
【図２０】本発明の実施形態のレシプロケーティングファイルを用いての骨切りの位置を特定した状態図。
【図２１】骨切りが終了し、片側の下顎枝を分割した状態図。
【図２２】下顎骨の分割前の状態を示した図。
【図２３】下顎枝外側の骨切りを示した工程図。
【図２４】図２３のＸ−Ｘ断面図。
【図２５】矢状分割の初期工程図。
【図２６】図２５のＸ−Ｘ断面図。
【図２７】矢状分割の後期工程図。
【図２８】矢状分割が完了した状態図。
【図２９】分割後、適正咬合に矯正した状態で分割片を接合した図。
【図３０】従来技術におけるリンデマンバーを用いた骨切り工程図。
【図３１】従来技術における骨用鋸を用いた骨切り工程図。
【符号の説明】
【００６０】
１・・・レシプロケーティングファイル
２・・・歯の形成されていない軸部
３・・・歯の形成された軸部
４・・・歯
４ａ・・・円弧状の歯
４ｂ・・・矩形断面の歯
４ｃ・・・台形断面の歯
４ｄ・・・逆台形断面の歯
４ｈ・・・平面部
４ｒ・・・湾曲面／アール処理
５・・・湾曲面
８・・・骨ノミ
１０・・・下顎骨
１１・・・下顎枝
１２・・・下顎孔
１３・・・第１大臼歯
１４・・・第２大臼歯
１５・・・外斜線
１６・・・下顎枝下縁
５０・・・リンデマンバー
６０・・・レトラクター
【図１】
2007020831.tif 000002
【図２】
2007020831.tif 000003
【図３】
2007020831.tif 000004
【図４】
2007020831.tif 000005
【図５】
2007020831.tif 000006
【図６】
2007020831.tif 000007
【図７】
2007020831.tif 000008
【図８】
2007020831.tif 000009
【図９】
2007020831.tif 000010
【図１０】
2007020831.tif 000011
【図１１】
2007020831.tif 000012
【図１２】
2007020831.tif 000013
【図１３】
2007020831.tif 000014
【図１４】
2007020831.tif 000015
【図１５】
2007020831.tif 000016
【図１６】
2007020831.tif 000017
【図１７】
2007020831.tif 000018
【図１８】
2007020831.tif 000019
【図１９】
2007020831.tif 000020
【図２０】
2007020831.tif 000021
【図２１】
2007020831.tif 000022
【図２２】
2007020831.tif 000023
【図２３】
2007020831.tif 000024
【図２４】
2007020831.tif 000025
【図２５】
2007020831.tif 000026
【図２６】
2007020831.tif 000027
【図２７】
2007020831.tif 000028
【図２８】
2007020831.tif 000029
【図２９】
2007020831.tif 000030
【図３０】
2007020831.tif 000031
【図３１】
2007020831.tif 000032
【国際調査報告】
2007020831.tif 000033
2007020831.tif 000034